(57)【要約】  本発明は、端末（１４）と、ユーザの手首又は手に装着され、端末（１４）と通信を行うための保全素子を備えたエレメント（１０）とをペアリングするシステムに関する。本発明によると、エレメント（１０）は加速度計（１５）を備え、端末はエレメント（１０）の動きを記録する手段を含む。更にシステムは、加速度計（１５）の署名と端末の記録手段の署名とを比較し、これらが類似である場合には端末（１４）と保全素子とのペアリングを承認する手段を含む。【選択図】      図１
2015506131.tif 000002
【特許請求の範囲】
【請求項１】
端末（１４）と、ユーザの手首又は手に装着され、前記端末（１４）と通信を行うための保全素子を備えたエレメント（１０）とをペアリングするシステムであって、
前記エレメント（１０）は加速度計（１５）を備え、
前記端末は前記端末（１４）の動きを記録する記録手段を含み、
前記システムは、前記加速度計（１５）の署名と前記端末（１４）の前記記録手段の署名とを比較し、これらが類似である場合には前記端末（１４）と前記保全素子とのペアリングを承認する手段を含むことを特徴とするシステム。
【請求項２】
前記エレメント（１０）はｅＧｏタイプのエレメントであることを特徴とする、請求項１に記載のシステム。
【請求項３】
前記端末（１４）は、ｅＧｏ技術をサポートする携帯型端末であることを特徴とする、請求項１又は２に記載のシステム。
【請求項４】
前記携帯型端末（１４）は前記保全素子と通信を行い、前記保全素子はＵＩＣＣタイプの機能を保持することを特徴とする、請求項１乃至３のいずれか一項に記載のシステム。
【請求項５】
前記端末はコンピュータに接続したコンピュータマウスであり、前記コンピュータは、前記コンピュータマウス及び前記エレメントの前記動きを記録する手段を含むことを特徴とする、請求項１又は２に記載のシステム。
【請求項６】
前記端末は、前記エレメントの動きを記録するための光学又は接触感知式手段を含む、パッド又はタブレットコンピュータであることを特徴とする、請求項１又は２に記載のシステム。
【請求項７】
前記エレメント（１０）は、前記ユーザの腕時計（１１）または指輪と一体であることを特徴とする、請求項１又は２に記載のシステム。
【請求項８】
前記加速度計（１５）の署名と前記端末（１４）の前記記録手段の署名とを比較し、これらが類似である場合には前記端末（１４）と前記保全素子とのペアリングを承認する前記手段は、前記エレメント（１０）に含まれていることを特徴とする、請求項１乃至７のいずれか一項に記載のシステム。
【請求項９】
前記保全素子はｅ−ＵＩＣＣであることを特徴とする、請求項１乃至８のいずれか一項に記載のシステム。
【請求項１０】
端末（１４）と、ユーザの手首又は手に装着され、前記端末（１４）と通信を行うための保全素子を備えたエレメント（１０）とをペアリングする方法であって、
前記エレメント（１０）は加速度計（１５）を備え、
前記端末は前記エレメント（１０）の動きを記録する記録手段を含み、
前記方法は、前記加速度計（１５）の署名と前記記録手段の署名とを比較し、これらが類似である場合には前記端末（１４）と前記保全素子とのペアリングを承認することを特徴とする方法。
【発明の詳細な説明】
【技術分野】
【０００１】
本発明は電気通信の分野に係り、より詳細には、ｅＧｏタイプのスマートエレメントの保有者の認証に関する。
より具体的には、本発明は一方で、端末と、ユーザの手首又は手に装着されたｅＧｏタイプのエレメントとをペアリングするシステム及び方法に関する。
第一のペアリングシステムは他方で、例えば携帯電話又はＰＤＡ（Ｐｅｒｓｏｎａｌ  Ｄｉｇｉｔａｌ  Ａｓｓｉｓｔａｎｔ（携帯情報端末））と、遠隔の保全素子とのペアリングを提供する。
【背景技術】
【０００２】
電気通信端末は、好ましくは携帯電話である。通常、携帯電話は、端末と連携して動作するＳｉｍ又はＵｓｉｍカード、あるいはＵＩＣＣ又は場合によってはｅ−ＵＩＣＣ（埋設ＵＩＣＣ、即ちＵＩＣＣとして動作する、携帯型端末と一体の（例えば携帯型端末内に溶接された）チップ）等の保全素子を含む。保全素子は、端末のユーザが、一般的にはセルラ通信ネットワークを識別し、通信（音声、データ、…）を確立することを可能とするための要素（鍵、ディレクトリ、ソフトウェア、ファイル、…）を含む。このタイプの保全素子は、ＥＴＳＩ規格に準拠している。
【０００３】
遠隔保全素子は、実在しないか、あるいは物理的に端末に接続しておらず、当該端末と無線によって通信を行う保全素子である。詳細な実施形態において、保全素子は例えば端末のユーザが装着した機器に組み込まれていてもよく、またＢｌｕｅｔｏｏｔｈ（登録商標）、ＷｉＦｉ又はＩＥＥＥ  ８０２．１５．４標準に基づく技術を介して端末と通信してもよい。従ってＵＩＣＣカードを有する携帯型端末を含む従来のシステムは、ＵＩＣＣカードを有さず、数十センチから数メートル又は数十メートル離れた場所に位置するこれらのカード（又はｅ−ＵＩＣＣ）と通信を行う端末によって置換される。
【０００４】
この解決策の利点は、端末には加入者識別子が一切含まれず、使用を望む全ての者に端末を貸与できる点である。ネットワークとの通信料金は、端末の保有者ではなくユーザに請求される（当然ながら、ユーザも遠隔保全素子を有していることを前提とし、それ以外の場合には通信を確立することは不可能となる）。更に、手帳、電話帳、写真…等の、ユーザにとって大切な全ての個人情報がユーザの保有する保全素子に含まれるため、個人情報、サービスへのアクセス権、また場合によっては決済手段を含んだ保全素子の紛失または盗難に比べれば、端末の紛失または盗難はささいな不都合が生じるのみとなる。
【０００５】
ｅＧｏと呼ばれる巧妙な伝送システムもまた公知である。このシステムは、非特許文献１及び特許文献１に記載されている。
ｅＧｏシステムは、二つの構成要素から成る。第一のエレメントは、制御対象機器に含まれる。これは、コンピュータマウス、携帯電話、家または車のドア、等であってもよい。第二のエレメントは、第一のエレメントのユーザによって携行される。このエレメントによって、第一のエレメントによる第二のエレメントの保有者の識別又は認証が可能となる。第二のエレメントは、例えばベルトへの固定、首への装着（バッジ、ネックレス）や、時計の内部への挿入によりユーザの身体に接触しており、重要なポイントは、二つのエレメントの間でＢＣＣ（"Body-Coupled Communication"（身体結合型通信））タイプの通信が確立し得ることである。
【０００６】
動作原理は次のとおりである。第二のエレメントの保有者は、例えば第二のエレメントを含む機器へのコードの入力、又は指紋認証により第二のエレメントを用いて認証を行う。認証が行われると、すぐに第二のエレメントの保有者は制御対象機器に身体的に接触し（コンピュータに接続したマウスに触れる、携帯電話を手に取る、家または車のドアの取っ手に触れる）、保有者の皮膚表面で、第一および第二のエレメント間の通信が確立する。第二のエレメントが第一のエレメントを認識すると（初期のペアリングは二つのエレメントの間で予め行われている）、第二のエレメントが作動し、第一のエレメントとの無線通信の確立を試みる。
【０００７】
次にこのＢＣＣ通信は、例えばＵＷＢモード（ＩＥＥＥ８０２．１５．４ａ標準に記載のＵｌｔｒａ  Ｗｉｄｅ  Ｂａｎｄ）での無線通信を二つのエレメント間で確立するために中断される。コンピュータまたは携帯電話はロック状態からアンロック状態に切り替わり（ユーザによるパスワードまたはＰＩＮコードの入力は必要としない）、家または車は鍵を用いずに解錠される。ＵＷＢ通信の間、保有者を認証した機器は全て、双方向無線によって第二のエレメントとの通信を行う。これにより、保有者が制御対象機器（マウス、携帯電話又はドアの取っ手）と身体的接触を続ける必要はなくなる。保有者が制御対象機器の近傍（約２０メートル迄）に留まる間は、制御対象機器が初期状態（コンピュータまたは携帯電話のロック状態や鍵の施錠）にリセットされることはない。保有者が制御対象機器から遠く離れ過ぎた際には、ＵＷＢ通信は遮断され、コンピュータまたは携帯電話は自動的にロックされ、またドアは施錠される。
【０００８】
このシステムは、２０１１年７月５日に出願された特許文献２、題名「通信端末と遠隔保全素子との間のデータ伝送システム」において詳述されている。
この特許出願では、電気通信端末と遠隔保全素子との間のデータ伝送システムが特許請求されており、当該システムは、端末と保全素子との間でＵＷＢ通信を確立可能なインターフェースを含む。
【０００９】
この特許出願によると、インターフェースは様々な形態を取っていてもよく、以下はその例である。
−端末の対応する電気接点と電気的に接続するためのコネクタを有する可撓性エレメントを含むインターフェースであって、当該コネクタはＵＷＢアンテナに連結した通信エレメントに電気的に接続しているインターフェース、
−端末とＵＷＢアンテナ等に連結した通信エレメントとの間でプロキシとして動作するエレメントを含むインターフェースであって、プロキシとして動作する当該エレメントは端末の電気接点に接触し、かつ通信エレメントとの近距離通信を可能にする手段を含み、また通信エレメントは端末のシェルと機械的に接触しているインターフェース、
【００１０】
−端末とＵＷＢアンテナに連結した通信エレメントとの間でプロキシとして動作するエレメントを含むインターフェースであって、プロキシとして動作する当該エレメントは端末の電気接点に接触し、かつ通信エレメントとの近距離通信を可能にする手段を含み、またこの通信エレメントは、端末と連携して動作するリムーバブルカード内に位置しているインターフェース。
【００１１】
このシステムを用いることで、一方では、ｅＧｏタイプの可撓性エレメント、ｅＧｏタイプのシェル、あるいは例えばｅＧｏＳＤ又はマイクロＳＤタイプのカードのみが搭載される標準端末と、他方では、好ましくはｅ−ＵＩＣＣタイプの保全素子と連携した、ユーザによって保持されるｅＧｏタイプのエレメントとの間で、無線通信を確立することができる。
【００１２】
ユーザによって保持されるｅＧｏタイプのエレメントは、具体的にはユーザの手首、例えば腕時計への装着や、ユーザの指に装着された指輪への挿入が可能である。ｅＧｏタイプのエレメントは従って、例えばブレスレット、ネックレス又はバッジに固定された場合のように緩やかにユーザに装着するのではなく、ユーザの手首にしっかりと固着することができる。
【先行技術文献】
【特許文献】
【００１３】
【特許文献１】欧州特許第１６９５２９６号明細書
【特許文献２】欧州特許出願第１１３０５８６２．６号明細書
【非特許文献】
【００１４】
【非特許文献１】ウェブサイトhttp://www.ego-project.eu
【非特許文献２】ウェブサイトhttp://www.clubic.com/salon-informatique-tic/ces/actualite-389144-surface-2-retour-table-tactile-microsoft.html
【発明の概要】
【発明が解決しようとする課題】
【００１５】
本発明は第一に、以下の課題に対する解決策を提供する。
ｅＧｏタイプの機器を保有しない人物が、携帯電話等のｅＧｏ対応携帯型端末を用いて、ｅＧｏタイプのエレメント（ｅ−ＵＩＣＣタイプの保全素子と連携している、又は含む）の保有者に対し故意に（又は意図せず）触れた場合は、当該人物は、このささいな身体的接触を介して端末とｅＧｏタイプのエレメントの保有者との間でＢＣＣタイプの通信を確立する。これにより、ｅＧｏ／ｅ−ＵＩＣＣエレメントの保有者からの意図しないペアリングが行われる。そしてｅ−ＵＩＣＣの保有者の知らないまま、端末とｅ−ＵＩＣＣはＵＷＢモードで通信を行う。悪意ある人物はそこで、ｅ−ＵＩＣＣの保有者の識別子を用いて、端末を使用し通信ネットワークとの通信を確立することができる。よって、悪意ある人物によってかけられた電話の料金は、ｅＧｏタイプの機器を備えたｅ−ＵＩＣＣの保有者に請求される。この課題に対する解決策、即ちｅＧｏタイプの機器に接続したｅ−ＵＩＣＣの保有者に身体的に接触しているｅＧｏ対応通信端末と、ｅＧｏタイプの機器とのペアリングを防ぐことは、まさに本発明の目的の一つである。
【００１６】
本発明に係る第二のペアリングシステムは、例えば遠隔のコンピュータに接続したマウスと、ユーザの手首又は指に同様に装着されたｅＧｏタイプの保全素子とのペアリングを規定する。
ここでは、（マウスを介して）コンピュータと遠隔保全素子とをペアリングすることを提案する。先行技術において、ユーザにコンピュータへのアクセス権を与えるために、ユーザはパスワードを入力しなければならない。本発明に係る第二のペアリングシステムは、このパスワードの入力を回避可能とする。
【００１７】
本発明の第三のペアリングシステムは、ｅＧｏタイプのエレメントの保有者全てに対し、例えば銀行取引などの取引への同意を確認することを規定する。当該技術水準において、この同意は、ユーザがクレジットカードを挿入した後に決済端末へコードを入力することに基づく。
【課題を解決するための手段】
【００１８】
本発明は、端末と、ユーザの手首又は手に装着され、端末と通信を行うための保全素子を備えたエレメントとをペアリングするシステムに関する。
本発明によると、
−エレメントは加速度計を備え、
−端末は端末の動きを記録する記録手段を含み、
−本システムは、加速度計の署名と端末の記録手段の署名とを比較し、これらが類似である場合には端末と保全素子とのペアリングを承認する手段を含む。
【００１９】
エレメントは好ましくはｅＧｏタイプである。
有利には、端末はｅＧｏ技術をサポートする携帯型端末である。
好ましくは、携帯型端末は保全素子と通信を行い、保全素子はＵＩＣＣタイプの機能を保持する。
一実施形態によると、機器はコンピュータに接続したコンピュータマウスであり、コンピュータは、コンピュータマウス及びエレメントの動きを記録する手段を含む。
【００２０】
別の実施形態では、端末は、エレメントの動きを記録するための光学又は接触感知式手段を含む、パッド又はタブレットである。
好ましくは、エレメントはユーザの腕時計または指輪と一体である。
有利には、加速度計の署名と記録手段の署名とを比較し、これらが類似である場合には端末と保全素子とのペアリングを承認する手段は、エレメントに含まれている。
好ましくは、保全素子はｅ−ＵＩＣＣである。
【００２１】
本発明はまた、端末と、ユーザの手首又は手に装着され、端末と通信を行うための保全素子を備えたエレメントとをペアリングする方法に関する。この方法によると、
−エレメントは加速度計を備え、
−端末はエレメントの動きを記録する記録手段を含み、
−本方法は、加速度計の署名と記録手段の署名とを比較し、これらが類似である場合には端末と保全素子とのペアリングを承認する。
【００２２】
本発明のその他の特徴及び利点は、本発明の限定ではなく例示として示された、本発明に係るシステムの複数の実施形態に関する以下の記載、並びに、ｅＧｏタイプの携帯型端末と、ユーザの手首に装着されたｅＧｏタイプのエレメントとをペアリングするシステムを示す添付の単一図を読むことで明らかとなるだろう。
【図面の簡単な説明】
【００２３】
【図１】Ｇｏタイプの携帯型端末と、ユーザの手首に装着されたｅＧｏタイプのエレメントとをペアリングするシステムを示す図。
【発明を実施するための形態】
【００２４】
図１において、ｅＧｏタイプのエレメント１０は、ユーザの手首１２に装着されたリストバンド１１を用いて取り付けられている。ｅＧｏタイプの機器１０は、例えば時計と一体であるか、又は時計１３内に設けられたハウジングに収容されている。ｅＧｏタイプのエレメント１０はユーザの手首１２と身体的に接触しており、端末、ここでは携帯型端末１４、と通信を行うための保全素子と連携している。保全素子は、通常ＵＩＣＣの役割を果たすチップであり、以降ｅ−ＵＩＣＣと呼ぶ。従って、端末１４自体にはｅ−ＵＩＣＣ又はＵＩＣＣは含まれないが、これらは遠隔、即ちｅＧｏ機器１０の内部に位置する。
【００２５】
ｅＧｏ機器１０はまた、ユーザのいずれかの指に装着された指輪と一体であってもよい。
ｅＧｏタイプのエレメントは、複数のアンテナ、とりわけＵＷＢモードでの通信を可能にするアンテナを含む必要があることは公知である。この、又はこれらのアンテナは、リストバンド１１と一体であってもよい。
本発明によると、ｅＧｏエレメント１０と、ｅＧｏ対応の端末１４、即ち通信を行うためにｅＧｏ技術をサポートした、又より詳細にはエレメント１０と通信を行うためにＵＷＢ手段を含んだ端末１４とのペアリングを行うために、ｅＧｏエレメント１０は加速度計１５と連携しているか又は加速度計１５を含み、そして端末１４もまた加速度計１６を備えている。端末の加速度計は、例えば端末１４の受話器１７近傍に位置している。
【００２６】
加速度計１５及び１６はそれぞれ、供された動き（回転、水平または垂直往復動作、ユーザによる署名の自筆、…）を検出して記録する手段（図示せず）と連携している。そこでこれらの記録は署名と呼ばれる。各加速度計は好ましくは、ユーザが端末１４を手にしっかりと握ってジェスチャを行った際に、これらの署名が同一または非常に類似的となるように配置される。署名の振幅は異なると考えられるため、署名は同一にはなり得ず、最善の状態でも類似であってもよく、また場合によっては、手首では生じないと考えられる、手のみの動きを監視する必要があってもよい。ペアリングの承認に必要とされる安全性のレベルに応じて、動きの主要な部分を記録すれば十分である。
【００２７】
本発明によると、加速度計の署名を比較する比較手段（図示せず）が、ｅＧｏタイプのエレメント又は携帯型端末１４に備えられている。
この比較手段は、上述のＢＣＣ通信の間又は通信終了後、あるいはＵＷＢ通信の間に加速度計１５及び１６の署名を比較する。このために、ＢＣＣ又はＵＷＢ通信を介して、比較手段がｅＧｏエレメント１０に備えられている場合には、端末１４に含まれる加速度計の署名が比較手段に送信され、また比較手段が端末１４に備えられている場合には、ｅＧｏエレメント１０に含まれる加速度計の署名が比較手段に送信される。
【００２８】
比較手段は二つの署名を比較する。これらが類似である場合には（相似値が約９０％であれば、ｅＧｏタイプの携帯型端末１４と、ユーザの手首１２に装着されたｅＧｏタイプのエレメント１０とのペアリングの承認に適切である）、比較手段は端末１４とエレメント１０に含まれるｅ−ＵＩＣＣとのペアリングを承認する。これによりユーザが通信を行える状態となる。反対に、署名が十分に類似でない場合には、当該ペアリングは承認されず、端末１４を動作させることは不可能となる。従ってこのシステムは、端末１４を有し、ｅＧｏタイプのエレメント（ブレスレット又は時計等）を身につけていない悪意ある人物が、自らの端末１４をｅ−ＵＩＣＣ１０とペアリングすることを防ぐ。なぜなら当該人物は、端末１４を手に握っている間にエレメント１０の保有者の動作を行っていないからである。
【００２９】
詳細には、ペアリングの成功率を高めるために、当然ながら端末１４を持つ手にエレメント１０及び加速度計１５を装着することが望ましい。ベルト又はバッジに装着されたエレメント１０と端末１４とをペアリングすることはできない。
故意に改造された端末によって、承認されるべきではないにも関わらずペアリングが承認されることを防ぐために（端末がｅＧｏエレメント１０の保有者に触れると、直ちにペアリングを系統的に承認する比較手段−「イエス−イエス」タイプのクレジットカード参照）、加速度計の署名を比較する手段はエレメント１０に含まれることが望ましい。
【００３０】
本発明に係るシステムの第二の実施形態では、端末はコンピュータに接続したコンピュータマウスである。マウスは加速度計又は運動検出器（例えば光学式のもの）を含み、マウスのユーザによって保存された署名をコンピュータに送信する。コンピュータはマウスの動きを記録する手段を含む。同時に、ユーザに装着された、加速度計を含むｅＧｏタイプのエレメントは、このエレメントの動きを記録する。マウスの動きの署名はｅＧｏタイプのエレメントに送信され、これらの署名が非常に類似的であった場合には、ユーザは例えばパスワードを入力せずとも、コンピュータへのアクセスが承認されたものと認識される。ｅＧｏタイプの機器に埋設された保全素子は、埋設されたｅ−ＵＩＣＣを有さないが、二つの署名を単に比較する。これにより、悪意ある人物が、コンピュータマウスを用いてｅＧｏタイプのエレメントの保有者に触れ、コンピュータにアクセスすることを防止する。即ち、ｅＧｏエレメントの保有者が行った動作はマウスによって記録された動作と比較され、コンピュータへ送信されるため、ｅＧｏエレメントの保有者のみがコンピュータへのアクセスを承認される。マウス自体が、感知した動きを記録する手段を含み、これらをユーザが装着したｅＧｏエレメントへ再送信することは可能であるが、これによりマウスの価格は上昇する。その一方で、コンピュータにインストールされた単一のソフトウェアによって、これらの機能（保存及び送信）を実行することが可能である。
【００３１】
本発明に係るシステムの第三の実施形態では、端末は、例えば非特許文献２に記載のいわゆるＳＵＲＦＡＣＥ２．０パッド等の、パッド又は接触感知式タブレットである。端末はまた、マウスとして使用されるコンピュータのキーパッドであってもよい。
ＳＵＲＦＡＣＥ２．０パッドは、「ピクセルセンス」と呼ばれる技術を用いており、透明なパネル（例えば窓）の下に赤外線カメラが配置され、ユーザはこの上でアプリケーションを介して自らの手でスクロールし、ウェブサイトにアクセスすることができる。携帯型端末のユーザは端末の接触感知機能を使用すると考えられるためである。パッドの各ピクセルはカメラになり、従ってユーザの手でピクセルの集合をブラウズすることで、上述のように署名を生成することが可能となる。これにより、ユーザの手首に装着されたｅＧｏタイプのエレメントと、接触感知式パッドとのペアリングを行うことができる。
【００３２】
接触感知式パッドの署名と、ユーザの手首に装着されたｅＧｏタイプのエレメントに含まれる加速度計の署名とを比較することで、例えば決済のアプリケーションのために接触感知式パッドと共に保全素子を用いることへのユーザの明白な希望（同意）を確認することができる。ペアリングの後に、例えばＮＦＣを介して決済が承認されてもよい。
従って、例えばお店において、ユーザが手首に装着したｅＧｏタイプのエレメントを用い、接触感知式タブレットの上で署名の手書き、又はその他の動作を行うことで、決済端末に接続したパッドと（又は直接決済端末と）、ユーザに装着されたｅＧｏ機器と連携した保全素子との間でＵＷＢ接続を確立することができる。よって、例えば保全素子に銀行取引アプリケーションが備えられていた場合には、このＵＷＢ接続によって店主への支払いが承認される。
【００３３】
本発明はまた、端末と、ユーザの手首又は手に装着され、端末と通信を行うための保全素子を備えたｅＧｏタイプのエレメントとをペアリングする方法に関する。この方法では、
−ｅＧｏタイプのエレメントは加速度計を備え、
−端末はｅＧｏタイプのエレメントの動きを記録する記録手段を含み、
−本方法は、加速度計の署名と記録手段の署名とを比較し、これらが類似である場合には端末と保全素子とのペアリングを承認する。
【符号の説明】
【００３４】
１０：ｅＧｏタイプのエレメント
１１：リストバンド
１２：ユーザの手首
１３：時計
１４：携帯型端末
１５、１６：加速度計
１７：受話器
【図１】
2015506131.tif 000003
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
端末（１４）と、ユーザの手首又は手に装着され、前記端末（１４）と通信を行うための保全素子を備えたエレメント（１０）とをペアリングするシステムであって、
前記エレメント（１０）は、加速度計（１５）と、感知した動きを記録して第一署名を送信する第一の手段とを備え、
前記端末は、前記端末（１４）の動きを記録して第二署名を送信する第二の手段を含み、
前記システムは、前記第一および第二署名を比較し、これらが類似である場合には前記端末（１４）と前記保全素子とのペアリングを承認する手段を含むことを特徴とするシステム。
【請求項２】
前記エレメント（１０）は、加速度計（１５）が加えられたｅＧｏタイプのエレメントであることを特徴とする、請求項１に記載のシステム。
【請求項３】
前記端末（１４）は、ｅＧｏ技術をサポートする携帯電話であることを特徴とする、請求項１又は２に記載のシステム。
【請求項４】
前記携帯電話（１４）は前記保全素子と通信を行い、前記保全素子はＵＩＣＣタイプの機能を保持することを特徴とする、請求項１乃至３のいずれか一項に記載のシステム。
【請求項５】
前記端末はコンピュータに接続したコンピュータマウスであり、前記コンピュータは、前記コンピュータマウス及び前記エレメントの前記動きを記録する手段を含むことを特徴とする、請求項１又は２に記載のシステム。
【請求項６】
前記端末は、前記エレメントの動きを記録するための光学又は接触感知式手段を含む、パッド又はタブレットコンピュータであることを特徴とする、請求項１又は２に記載のシステム。
【請求項７】
前記エレメント（１０）は、前記ユーザの腕時計（１１）または指輪と一体であることを特徴とする、請求項１又は２に記載のシステム。
【請求項８】
前記加速度計（１５）の署名と前記端末（１４）の前記記録手段の署名とを比較し、これらが類似である場合には前記端末（１４）と前記保全素子とのペアリングを承認する前記手段は、前記エレメント（１０）に含まれていることを特徴とする、請求項１乃至７のいずれか一項に記載のシステム。
【請求項９】
前記保全素子はｅ−ＵＩＣＣであることを特徴とする、請求項１乃至８のいずれか一項に記載のシステム。
【請求項１０】
端末（１４）と、ユーザの手首又は手に装着され、前記端末（１４）と通信を行うための保全素子を備えたエレメント（１０）とをペアリングする方法であって、
前記エレメント（１０）は、加速度計（１５）と、感知した動きを記録して第一署名を送信する第一の手段とを備え、
前記端末は、前記端末（１４）の動きを記録して第二署名を送信する第二の手段を含み、
前記方法は、前記第一および第二署名を比較し、これらが類似である場合には前記端末（１４）と前記保全素子とのペアリングを承認することを特徴とする方法。
【国際調査報告】
2015506131.tif 000004
2015506131.tif 000005
2015506131.tif 000006
2015506131.tif 000007